(57)【要約】【課題】噴射された内溶液が部屋の隅々まで行き渡るような、遅延噴射機構を備えたエアゾール噴射装置を提供することを課題とする。【解決手段】エアゾール容器１０の上部に設けた遅延噴射機構と、遅延噴射機構に接続してエアゾール容器内の内容液を噴射するためのノズル２とを有するものであり、ノズル２には、内容液を外部に噴射させるための噴射口２ａを有し、噴射口２ａは、平面視において、放射状に４以上の方向を向くように設けられたものであることを特徴とするエアゾール噴射装置を提供する。【選択図】          図２
2004223408.tif 000002
【特許請求の範囲】
【請求項１】
操作してから所定時間が経過した後に、エアゾール容器（１０）内の内溶液の噴射を開始させるための遅延噴射機構を備えた、エアゾール噴射装置において、
エアゾール容器（１０）から吐出する内容液を外部に噴射させるための噴射口（２ａ）を有するパイプ状のノズル（２）を備え、
噴射口（２ａ）は、平面視において、４以上の方向を向くように設けられたものであることを特徴とする、エアゾール噴射装置。
【請求項２】
操作してから所定時間が経過した後に、エアゾール容器（１０）内の内溶液の噴射を開始させるための遅延噴射機構を備えた、エアゾール噴射装置において、
エアゾール容器（１０）から吐出する内容液を外部に噴射させるための噴射口（２ａ）を有するノズル（２）を備え、
噴射口（２ａ）は、平面視において、４以上の方向を向くように設けられたものであり、
側面視において、内溶液の噴射方向が、エアゾール噴射装置の設置面に対して
０°〜６０°の角度となるように設けられたものであることを特徴とする、エアゾール噴射装置。
【請求項３】
遅延噴射機構がケーシング（２０）に内蔵され、
このケーシング（２０）から複数本のノズル（２）が外部に延設され、各ノズル（２）に噴射口（２ａ）が設けられたことを特徴とする、請求項１又は２に記載のエアゾール噴射装置。
【請求項４】
遅延噴射機構がケーシング（２０）に内蔵され、
このケーシング（２０）からノズル（２）が外部に延設され、このノズル（２）に複数個の噴射口（２ａ）が設けられたことを特徴とする、１又は２に記載のエアゾール噴射装置。
【請求項５】
遅延噴射機構は、遅延噴射動作の開始の指示を受ける作動部（５）を有し、
ノズル（２）は、移動可能に設けられると共に作動部（５）を兼ねるものであり、
ノズル（２）を移動させることによって、遅延噴射機構が遅延噴射動作を開始するものであることを特徴とする、請求項１から４のいずれかに記載のエアゾール噴射装置。
【請求項６】
遅延噴射機構がケーシング（２０）に内蔵され、
遅延噴射機構は、遅延噴射動作の開始の指示を受ける作動部（５）を有し、
この作動部（５）はノズル（２）と別個に設けられ、この作動部（５）を動かすことによって、遅延噴射機構が遅延噴射動作を開始するものであることを特徴とする、請求項１から４のいずれかに記載のエアゾール噴射装置。
【請求項７】
各噴射口（２ａ）の方向が、別個に変更可能であることを特徴とする、請求項１から６のいずれかに記載のエアゾール噴射装置。
【発明の詳細な説明】
【０００１】
【発明の属する技術分野】
本願発明は、操作してから所定時間が経過した後に、エアゾール容器内の内溶液の噴射を開始するエアゾール噴射装置に関するものである。
【０００２】
【従来の技術】
【特許文献１】
特開２００２−１９８５９号公報
【０００３】
従来、例えば押入れや天井裏等の不快害虫の駆除、車内の殺菌消毒、室内やトイレ等の殺虫、殺菌消毒等、限られた空間を密閉し、エアゾール容器内にある薬剤の全量を一気に散布するためのエアゾール噴射装置が市販されている。
【０００４】
このエアゾール噴射装置に関しては、エアゾール噴射装置を密閉室内にセットしようとする者の体に内溶液が付着したり、有害な霧や気体を吸い込んだりすることを防止し、エアゾール噴射装置をセットした後、余裕を持ってその場所から退避することができるように、遅延噴射機構を備えたものが多い。
【０００５】
この遅延噴射機構を備えたエアゾール噴射装置について、本願発明の発明者は、特開２００２−１９８５９号公報（特許文献１）に示す構造のエアゾール噴射装置を発明した。
このエアゾール噴射装置は、図６に示すようなものである。エアゾール容器１１０に取り付けられたケーシング１２０の内部に上下移動可能にシリンダー部材１０５を設け、シリンダー部材１０５は、コイルスプリング１０３によって下方に付勢されている。シリンダー部材１０５の下方空間部には、ピストン１０６が上下移動可能に配置され、これら両者によって気密の流体室ＹＹが形成される。流体室ＹＹの上面にはエアーの逃し穴１０８が形成され、逃し穴１０８の上部には排出エアーの流量調整手段が設けられている。レバー１０１を取り除くと、コイルスプリング１０３の付勢力が流体室ＹＹに作用し、ピストン１０６が下降して、バルブコア１１２を押圧する。流体室ＹＹ内のエアーが徐々に逃し穴１０８から排出されるに伴い、シリンダー部材１０５が下降する。シリンダー部材１０５がピストン１０６に当接した段階で、バルブコア１１２から排出された内溶液が、シリンダー部材１０５の上端に位置するノズル１０２の噴射口１０２ａから噴射される。
【０００６】
【発明が解決しようとする課題】
上記のエアゾール噴射装置において、噴射口１０２ａは、図６に示すように、エアゾール噴射装置の上部に１箇所のみ設けられており、エアゾール噴射装置を置く部屋の状況によっては、図５（Ｃ）に示すように、噴射された内溶液が部屋の隅々まで行き渡らず、害虫の駆除等が完全に行なわれない場合があった。
【０００７】
よって、本願発明は、噴射された内溶液が部屋の隅々まで行き渡るような、遅延噴射機構を備えたエアゾール噴射装置を提供することを課題とする。
【０００８】
【課題を解決するための手段】
上記課題を解決するために、本願第１の発明は、操作してから所定時間が経過した後に、エアゾール容器１０内の内溶液の噴射を開始させるための遅延噴射機構を備えた、エアゾール噴射装置において、エアゾール容器１０から吐出する内容液を外部に噴射させるための噴射口２ａを有するパイプ状のノズル２を備え、噴射口２ａは、平面視において、放射状に４以上の方向を向くように設けられたものであることを特徴とするエアゾール噴射装置を提供する。
【０００９】
また、本願第２の発明は、操作してから所定時間が経過した後に、エアゾール容器１０内の内溶液の噴射を開始させるための遅延噴射機構を備えた、エアゾール噴射装置において、エアゾール容器１０から吐出する内容液を外部に噴射させるための噴射口２ａを有するノズル２を備え、噴射口２ａは、平面視において、放射状に４以上の方向を向くように設けられたものであり、側面視において、内溶液の噴射方向が、エアゾール噴射装置の設置面に対して０°〜６０°の角度となるように設けられたものであることを特徴とするエアゾール噴射装置を提供する。
【００１０】
また、本願第３の発明は、第１又は第２の発明において、遅延噴射機構がケーシング２０に内蔵され、このケーシング２０から複数本のノズル２が外部に延設され、各ノズル２に噴射口２ａが設けられたことを特徴とするエアゾール噴射装置を提供する。
【００１１】
また、本願第４の発明は、第１又は第２の発明において、遅延噴射機構がケーシング２０に内蔵され、このケーシング２０からノズル２が外部に延設され、このノズル２に複数個の噴射口２ａが設けられたことを特徴とするエアゾール噴射装置を提供する。
【００１２】
また、本願第５の発明は、第１から第４のいずれかの発明において、遅延噴射機構は、遅延噴射動作の開始の指示を受ける作動部５を有し、ノズル２は、移動可能に設けられると共に作動部５を兼ねるものであり、ノズル２を移動させることによって、遅延噴射機構が遅延噴射動作を開始するものであることを特徴とするエアゾール噴射装置を提供する。
【００１３】
また、本願第６の発明は、第１から第４のいずれかの発明において、遅延噴射機構がケーシング２０に内蔵され、遅延噴射機構は、遅延噴射動作の開始の指示を受ける作動部５を有し、この作動部５はノズル２と別個に設けられ、この作動部５を動かすことによって、遅延噴射機構が遅延噴射動作を開始するものであることを特徴とするエアゾール噴射装置を提供する。
【００１４】
また、本願第７の発明は、第１から第６のいずれかの発明において、各噴射口２ａの方向を、別個に変更可能であることを特徴とするエアゾール噴射装置を提供する。
【００１５】
上記第１〜第６の発明にあっては、ノズル２の噴射口２ａが、平面視において、放射状に４以上の方向を向くように設けられているため、噴射された内溶液を部屋の隅々まで行き渡らせることができる。
【００１６】
また、上記第７の発明にあっては、上記に加え、各噴射口２ａの方向を別個に変更可能であるため、部屋の形等に合わせて、最適な条件で内溶液を噴射させることができる。
【００１７】
【発明の実施の形態】
以下、図面に基づき、本願発明の実施の一例を取り上げて説明する。図１は、本例のエアゾール噴射装置の説明図であり、図２及び図３は同断面説明図である。
なお、以下の説明中における「噴射方向」という表現は、エアゾール噴射装置の噴射口から噴射される内容液が形作る円錐状の形態における、中心軸の方向を指すものとする。
【００１８】
本例のエアゾール噴射装置は、遅延噴射機構と、遅延噴射機構に接続してエアゾール容器１０内の内容液を噴射するためのパイプ状のノズル２とを有するものである。
なお、本例でとりあげる遅延噴射機構については、特開２００２−１９８５９号公報（特許文献１）に示す構造と同一であって、この遅延噴射機構は、図２に示すように、エアゾール容器１０の上部に、ケーシング２０を下部爪１９によって取り付け、ケーシング２０の内部には、ピストン６を内蔵したものであり、遅延噴射動作の開始の指示を受ける作動部であるシリンダー部材５を、付勢手段であるコイルスプリング３を介して組み込んだものである。
【００１９】
作動部であるシリンダー部材５は、下方部が開口した略円筒形状を有し、同じく略円筒形状を有するケーシング２０の内部で、ケーシング２０の内壁面に沿って上下方向に摺動可能に収納されている。
付勢手段であるコイルスプリング３は、このシリンダー部材５の上面とケーシング２０の上面の内壁面との間に介在されており、シリンダー部材５を下方に付勢することができる。
また、シリンダー部材５の上面中央には上方に向かって、内部に内部通路５ｃを有する筒形状の延長部５ｅが形成され、この延長部５ｅは、ケーシング２０の内部から、ケーシング２０の上面に設けられた貫通孔２０ｈを貫通して、外部に延長するように形成されている。この延長部５ｅの上端部に内溶液を外部に噴射するための噴射口２ａを有するノズル２が設けられている。ノズル２についての詳細については後に説明する。
内部通路５ｃには、上方寄りに、その内径がその下方部分の内径よりも大きな大径部５ｆが形成されている。この大径部５ｆは、後に説明するが、エアゾール容器１０の内溶液が排出される際、ノズル２への通路を形成するためのものであり、開閉手段の一部として機能する。
【００２０】
シリンダー部材５の内部には、その内壁面に沿って相対的に上下方向に摺動可能なピストン６が配置されている。このピストン６は、下端にシリンダー部材５の内壁面を摺動する摺動面６ｂを有し、かつ、この摺動面６ｂの上面中央から上方に延長し、内部に内溶液の導通路６１を有するロッド１３を有している。ロッド１３の下端部には、エアゾール容器の上面中央に設けられているバルブコア１２の上端部と嵌合するバルブコア嵌合部７が形成され、バルブコア１２から噴射される内溶液が、上記バルブコア嵌合部７から、ロッド１３の内部の導通路６１へと流入することができる。
すなわち、このバルブコア嵌合部７の上端部が、ピストン６が下方に移動することによって、バルブコア１２の上端部と当接し、バルブコア１２を下方に押し下げ、内溶液が導通路６１内に噴射されるように構成されている。
【００２１】
更に、ロッド１３は、上記シリンダー部材５の上面中央部に形成されている延長部５ｅの内部に形成された内部通路５ｃ内に侵入した状態に配置されおり、かつ、ロッド１３の外周面は、内部通路５ｃの内壁面と気密に接しており、両者は、シリンダー部材５が下方に移動するに際して、気密状態を維持して相互に摺動する。両者の気密状態を維持するために、上部Ｏリング１６及び下部Ｏリング１７が、ロッド１３の外周面に設けられている。
これら２つのＯリングの中間部に流出口１５が形成されており、この流出口１５は、後に説明するが、導通路６１内に流入した内容液をノズル２の側に流出させるための通路となるものである。
また、上部Ｏリング１６及び下部Ｏリング１７は開閉手段として機能する。すなわち、ロッド１３の外周面（上部Ｏリング１６及び下部Ｏリング１７）は、内部通路５ｃの内壁面と気密に接することにより、導通路６１内に流入した内容液をノズル２の側に流出させず、閉状態を維持するものである。そして、後述するように、上部Ｏリング１６が大径部５ｆに位置して、気密状態が解除されることにより、導通路６１内に流入した内容液をノズル２の側に流出させ、開状態となるものである。
【００２２】
以上の構造を有する、シリンダー部材５とピストン６とによって形成された密閉の空間が流体室Ｙを構成することとなる。この流体室Ｙの上面、すなわち、シリンダー部材５の上面の適宜位置には、微量の流体を徐々に排出する小さな開口の流体排出口８が１個あるいは複数個形成されており、上記付勢手段となるコイルスプリング３の付勢力によって、流体室Ｙ内部の流体がこの流体排出口８から徐々に外部に排出されることとなり、シリンダー部材５が徐々に下方に移動することとなる。この流体排出口８には、流量調整手段が設けられている。
この流体室Ｙに収納される流体としては、低粘度の流体が好ましく、特に、付勢手段の付勢力によって、流体排出口８から排出される単位時間当たり流量が実質的に一定となるものが好ましい。具体的には、空気等の気体の他、水、シリコーン等を例示し得る。空気の粘度は実質的に０であるため、流体排出口８からの単位時間当たり流量を一定化させる点で理想的である。また、水の粘度も低く安定しており、シリコーンの粘度は空気や水に比較して高いものの、極めて安定しており、遅延時間を一定化する点で極めて望ましい。なお、空気の場合、通常の室内等の外部環境に空気が存在する場所での利用では、流体室Ｙに常時存在するため、特別な密閉構造は必要ではないが、水、シリコーン等の場合には、使用前には流体排出口８を閉じて流体室Ｙに収納する等の流体室Ｙに流体を確実に収納しておくための構成を加えて実施してもよい。
【００２３】
この流量調整手段は、シリンダー部材５の上面に設けられた流体排出口８に形成されており、シリンダー部材５の上面から上方に延長する受容部５２内に、ピン状の流量調整部材４を嵌入させたものからなる。
すなわち、受容部５２と流量調整部材４によって形成される隙間が流体の通路となり、例えば、異なる流量調整部材４をあらかじめ用意し、この異なる流量調整部材４を使用することにより、この隙間の間隔を異ならせることによって、つまり、この通路を通過する流体の単位時間当たりの流量を適宜変更することによって、流体の排出量を調整でき、その結果、シリンダー部材５の下降速度を速くも遅くも自由に設定できることとなる。
なお、この流量調整手段から排出された流体は、本体部内に排出されるが、流体室Ｙの中にある流体は、シリンダー部材５の下降によりシリンダー部材５の上部とケーシング２０の内側との間に出来る空隙の大きさに匹敵するので、ケーシング２０の中に溜まり、外に漏れることがない。
【００２４】
エアゾール噴射装置を使用しない状態においては、シリンダー部材５に対してロック手段としてのレバー１が取り付けられている。このレバー１は、図２に示す通り、引き抜き用の把手部１ｔが下方に折曲した側面視鉤型形状を有しており、ケーシング２０から上方に突出しているシリンダー部材５の延長部５ｅの下方の細径部１４を両側から挟持するものである。これによって、レバー１は、シリンダー部材５の延長部５ｅをロックし、ケーシング２０の内部のシリンダー部材５を下方に付勢するコイルスプリング３の付勢力の作用をストップさせている。すなわち、この状態で、付勢手段としてのコイルスプリング３は，シリンダー部材５とケーシング２０との間で、収縮された状態のままに置かれる。
レバー１の把手部１ｔの下方先端部の内側（ケーシング２０側）には、突出部１ｓが形成され、これに対応するケーシング２０の外表面の位置には、この突出部１ｓと嵌合する凹部２０ｓが形成され、相互に嵌合するように形成されている。これにより、レバー１は、ケーシング２０に確実に固定されることとなる。
【００２５】
このエアゾール噴射装置の使用に際しては、レバー１の把手部１ｔを上方に引き上げて、レバー１を側面視略直線状にした後に、把手部１ｔを横方向に引き抜くことにより、レバー１をシリンダー部材５の延長部５ｅから取り外し、そのロックが解除されて、噴射セットの状態となるのである。言い換えると、レバー１をシリンダー部材５の延長部５ｅから取り外すことが遅延噴射動作の開始の指示となり、作動部であるシリンダー部材５がこの指示を受けた状態が噴射セットの状態である。
なお、図２に示す通り、レバー１の折曲部には切込１ｋが形成されているために、レバー１の把手部１ｔは、容易に上方に矢印Ａの方向に引き上げることができる。このように、レバー１をケーシング２０の外形形状に沿わせるように設けているために、誤ってレバー１が操作され、ロックが解除されてしまうということが防止される。つまり、レバー１に何かが引っ掛かり、外れてしまうという恐れもなくなり、誤作動の発生を防止できる構造となっている。
【００２６】
次に、ノズル２について説明する。ノズル２は、本例においては、シリンダー部材５の上部に接続されるパイプ状のものであって、垂直方向に配位される基部２ｂと、基部２ｂの上方において水平方向に配位される分岐部２ｃとを有する。
【００２７】
基部２ｂは、シリンダー部材５の大径部５ｆに対して接続される、１本のパイプ状の部分である。基部２ｂの下端は鉤状に形成されており、大径部５ｆの内側に形成された凹溝に対して嵌合することにより固定されている。
大径部５ｆに対する基部２ｂの接続方法については、上記に示したものに限らず、ねじ込みによるもの等、種々の方法で実施し得る。また、本例においては、ノズル２とシリンダー部材５とを別々に形成しているが、これらを一体に形成したものであっても良い。
【００２８】
分岐部２ｃは、本例においては、基部２ｂの上方に、基部２ｂと一体に形成したパイプ状の部分である。この分岐部２ｃは、基部２ｂに対して水平方向に４本が分岐している。この分岐については、基部２ｂを中心として、平面視においてはそれぞれ直交するような位置関係にあるが、これに限られず、平面視において、後述する噴射口２ａの噴射方向が各々異なるものであれば良い。本願発明においては、この分岐数は４方向以上の複数とするものであり、効果と経済性の上からは４〜６方向とすることが望ましい。
なお、基部２ｂを２本以上設け、それぞれの基部２ｂから分岐部２ｃを分岐させても良い。
分岐部２ｃの先端には噴射口２ａが設けられており、エアゾール容器１０内の内容液は、図２に示す、バルブコア１２、導通路６１（ピストン６）、内部通路５ｃ（シリンダー部材５）、基部２ｂ、分岐部２ｃをそれぞれ通り、噴射口２ａから外部に噴射される。
【００２９】
本例において、噴射口２ａは、分岐部２ｃとは別体であり、分岐部２ｃの先端に取り付けられた先端部２ｄに、斜め上方を向くようにして形成されている。噴射口２ａは、それぞれ異なる方向に向けられており、本例では等間隔、具体的には平面視においてそれぞれ直交する位置関係となっている。また、本例においては、平面視において、パイプ状である分岐部２ｃの方向と、噴射口２ａの方向とが一致している。よって、分岐部２ｃの方向を見ることで、噴射方向が一目でわかるようになっている。
一方、側面視における噴射口２ａの方向は、噴射口２ａから噴射される内溶液の噴射方向が、エアゾール噴射装置の設置面（多くの場合は水平面）に対して０°〜６０°、より望ましくは３０°〜５０°となるようにする。このようにして噴射方向に角度を持たせることにより、従来のエアゾール噴射装置よりも、噴射された内容液をより遠くに到達させることができる。つまり、内容液をエアゾール噴射装置を設置した部屋の隅々まで到達させることができ、害虫の駆除等を、従来に比べてより完全に行なうことができる。
なお、本例において、先端部２ｄは、分岐部２ｃに対して、上記のシリンダー部材５と基部２ｂとの関係と同様に嵌合により接続がなされているため、この嵌合部分の断面形状が円形である場合は、分岐部２ｃに対して先端部２ｄを回動させることにより、噴射口２ａの方向を変更することもできる。
【００３０】
上記のように、基部２ｂの上方に分岐した分岐部２ｃを形成することにより、噴射口２ａを分岐部２ｃの方向に従って向けることができる。これにより、図５（Ａ）に示すように、部屋の隅々まで届くように内容液を噴射でき、害虫の駆除等を、従来（図５（Ｃ）参照）に比べてより完全に行なうことができる。特に、部屋の形状は四角形であることが多いため、本例のように、噴射口２ａを４方向に向けることで、部屋の四隅をめがけて内容液を噴射できる。
なお、噴射口２ａについては、従来（図６参照）の噴射口１０２ａのような、上向きの噴射口を併せて設けたものとしても良い。
【００３１】
本例のノズル２においては、分岐部２ｃに対して１つの噴射口２ａを形成しているが、これに限られず、例えば、分岐部２ｃを円板状に形成し、その側面に複数の噴射口２ａを形成するものとしても良い。また、これに加えて、噴射方向を示す矢印等の表示を、上記の円板上に刻印やシール貼付等によって表示しても良い。そうすることにより、エアゾール噴射装置を使用する際には、この表示の示す方向が部屋の隅の方向に一致するようにし、噴射口２ａから噴射される内容液を、部屋の隅々まで到達させることができる。
また、本例と同じ形態の分岐部２ｃの先端部分に複数の噴射口２ａを設けても良い。
また、分岐部２ｃと先端部２ｄとを一体に形成しても良い。
また、分岐部２ｃを本例のように、エアゾール設置面（水平面）に対して平行とせず、基部２ｂに対して傾斜させて形成しても良い。
【００３２】
また、図４に示すように、シリンダー部材５の上端部分を閉鎖し、ノズル２をケーシング２０において、シリンダー部材５とは別の位置に設け、シリンダー部材５と連動しないものとしても良い。この場合において、ノズル２は、シリンダー部材５の内部通路５ｃに対してケーシング２０の内部で連通させておき、内容液の通路を別途確保する（図示しない）。
この場合において、ノズル２はケーシング２０に対して固定しても良いし、また、図４（Ａ）上に矢印で示したように、ノズル２をケーシング２０に対して回動可能に取り付けておき、噴射口２ａを回動範囲内の任意の位置に移動できるものとしても良い。これにより、各噴射口２ａの方向を別個に変更でき、部屋の形やエアゾール噴射装置の設置位置等に合わせて、最適な条件で内溶液を噴射させることができる。
【００３３】
なお、先に説明したノズル２（図１〜３参照）の場合でも、分岐部２ｃを折り曲げ可能な材料から形成したり、分岐部２ｃの途中に折り曲げ可能な関節部分を形成することにより、上記と同様に、噴射口２ａを任意の位置に移動可能なものとできる。このように、噴射口２ａを思うままの方向に向けることができるため、図５（Ｂ）に示すように、部屋の形状が対称形でない場合であっても、部屋の隅々まで確実に内容液を噴射させることができる。
なお、この場合においても、噴射された内容液をより遠くに到達させるためには、側面視において、噴射口２ａから噴射される内溶液の噴射方向が、エアゾール噴射装置の設置面（多くの場合は水平面）に対して０°〜６０°（より望ましくは３０°〜５０°）となるように、噴射口２ａの方向を調整することが望ましい。
また、分岐部２ｃを円板状に形成した場合であっても、上記のような、分岐部２ｃに対して回動可能である先端部２ｄを取り付け、この先端部２ｄに噴射口２ａを形成することにより、先端部２ｄを回動させ、内溶液の噴射方向を調整することができる。
【００３４】
本例においては、下記の作動手順の説明に示すように、レバー１を取り払い、コイルスプリング３の付勢により、シリンダー部材５や、シリンダー部材５に接続されたノズル２がケーシング２０に対して押し下げられるように動作するものであるが、レバー１以外の、シリンダー部材５をロックする手段を用いることにより、シリンダー部材５や、シリンダー部材５に接続されたノズル２を、手等で直接押し下げて動作させるものとしても良い。
【００３５】
次に、本願発明に係るエアゾール噴射装置の作動手順について説明する。
まず、噴射装置の噴射セットをするに当たり、レバー１を、図２に示す矢印Ａの方向に引上げ、その後矢印Ｂの方向に引き抜く。このレバー１の引き抜きによって噴射セットがなされる。
レバー１が引き抜かれると、収縮していたコイルスプリング３が伸長を開始し、付勢力を発揮して、シリンダー部材５の上面を下方に押圧する。この押圧により、流体室Ｙ内が瞬時に高圧となり、その圧力により、ピストン６を下方へ摺動させる。ピストン６が下方に押し下げられると、バルブコア嵌合部７とエアゾール容器のバルブコア１２とが完全に嵌合し、バルブコア１２が押圧されて、エアゾール容器内のエアゾールバルブ（図示せず）が開く。
その結果、エアゾール容器内の内容液が、バルブコア１２から、ロッド１３の導通路６１内に流入し、流出口１５に至る。ところが、前述のように、ロッド１３における流出口１５の上下に設けられた上部Ｏリング１６及び下部Ｏリング１７は、延長部５ｅ内部に形成された内部通路５ｃの内壁面と気密に接することにより、導通路６１内に流入した内容液をノズル２の側に流出させない状態を維持する。
【００３６】
さらに、コイルスプリング３が伸長を続け、流体室Ｙが圧縮されると、その内部流体が流体排出口８から流量調整手段の内部に流入し、その後流量調整手段から外部に徐々に排出され、更にはケーシング２０の内部へと排出される。このように、流体室Ｙ内部から流体が徐々に外部（ケーシング２０の内部）に排出されるに従って、シリンダー部材５が徐々に下方に押し下げられて行く。
そして、図３に示すように、シリンダー部材５が下方まで押し下げられる。これにより、ピストン６のロッド１３に設けられた上部Ｏリング１６が、内部通路５ｃの上方の大径部５ｆにまで達する。その結果、開閉手段が開状態となり、気密状態が解除されることにより、導通路６１内に流入した内容液は、流出口１５からノズル２の側に流出し、噴射口２ａから外部に噴射する。
この上部Ｏリング１６が、内部通路５ｃの上方の大径部５ｆにまで達するまでの時間が、噴射セット後、噴射開始時点までの遅延時間となる。
既に述べたように、本願発明においては、噴射口２ａが４以上の方向を向くものであるため、内容液を噴射した際に、従来（図６参照）のように、上方の１箇所にのみ噴射口２ａを有するエアゾール噴射装置に比べ、噴射された内溶液が部屋の隅々まで行き渡り、害虫の駆除等を完全に行なうことができる。
【００３７】
以上の説明から理解されるように、噴射セット後すぐに、バルブコア１２は押圧され、内部のバルブが開かれ、噴射開始時期は、シリンダー部材５とピストン６との相対的な位置関係のみで決定される。従って、バルブコア１２の取り付け位置（高さ）のバラツキで噴射開始時期が左右されることはなく、シリンダー部材５とピストン６を正確な寸法で形成することによって、常に、一定の遅延時間が得られるものである。さらに、小さな流体排出口８を、正確な寸法に形成することは困難であったとしても、流量調整部材４を配位することによって、より正確な流体の排出流量が得られ、より正確な遅延時間調整が可能となる。
なお、シリンダー部材５が下方に押圧されると、ケーシング２０の上面外部に突出している延長部５ｅが下方に下降して行き、使用者は、この噴射装置の作動を視覚を通じて確認することができる。また、何らかの理由によって、噴射が行われない場合には、使用者が延長部５ｅを強制的に押し下げることにより、噴射を開始させることができる。
【００３８】
このように、流体排出口８から外部（ケーシング２０の内部）に排出される気体の流量は、流量調整部材４によって制御可能であり、シリンダー部材５とピストン６で囲まれている空間（流体室）Ｙからの排出気体量と、流量調整部材４からの一定時間当たりの排出流量を調整、制御することによって、レバー１を抜いた後、ノズル２から内容液が大気中に噴射されるまでの遅延時間を自由に設定することができる。
【００３９】
以上、実施形態について説明したが、本願発明においては、以下の通りその形態を変更することができる。
付勢手段は、上記の実施形態ではコイルスプリング３を採用したが、板バネ等やゴム製の弾性体等、各種の弾性体を利用して実施することができる。
付勢手段の付勢力をロックするロック手段となるレバー１は、上記実施形態に限られず、シリンダー部材５がケーシング２０の外部に延長する延長部（噴射口部）５ｅが下方に移動しないように固定できるものであれば、どのような形態のものでも採用することができる。
例えば、レバーを引き抜く形式ではなく、単にレバーを横方向に移行することによって、レバーに設けられた噴射口部の外径よりも大きい幅の孔部を噴射口部に位置させることによって、噴射口部のロックを解除することもできるし、或いは、噴射口部の一部を細径に形成して、噴射口部を回転させることによってロック手段を解除するような形式にすることも可能であり、自由に設計変更することができる。
【００４０】
シリンダー部材５も、内部に空間を有し、ピストン６をその内部に上下動可能に収納でき、密閉された空間（流体室）Ｙを形成できる構造のものであればよく、その形態も自由に設計することができる。
シリンダー部材５の外側面は、ケーシング２０の内壁面に密接に接合していなくともよく、適宜隙間が開いていてもよい。
ピストン６は、シリンダー部材５の内部で相対的に上下移動可能に気密にスライドし、かつ、シリンダー部材５と密閉された空間Ｙが形成されるものであれば、どのような形状のものであってもよい。
【００４１】
この密閉された空間Ｙの代わりに、ロッド１３が挿通しうる孔部を有する伸縮自在の蛇腹袋や風袋をこの空間Ｙに配置することも可能で、蛇腹袋または風袋には、当然のこととして、逃し穴８に対応する位置に流体排出口を設けておき、この流体排出口を逃し穴８に連結して実施することも可能である。この場合には、空間Ｙを密閉式に形成しなくともよい。
流量調整手段の構成も適宜変更可能であって、要は、流体の排出流路を適宜変更して、その一定時間当たりの排出量を制御できる形式のものであれば、どのようなものであってもよいのである。
開閉手段は、シリンダー部材５とピストン６との相対的な位置関係によって開閉するものであればよく、各種の弁構造を応用して、その具体的な形態は変更することができる。
ピストン６は、直接バルブコア１２に当接して作動させるものでなくともよく、他の部材を介して、バルブコア１２を作動させるものであってもよい。
【００４２】
更に、上記においては、特許文献１に記載のものと同一の遅延噴射機構に対してノズル２を組み合わせたものを取り上げて説明したが、これに限られず、種々の構造を有する遅延噴射機構に対してノズル２を組み合わせることができる。
例えば、特開２００１−３１５８６９号公報に記載の「エアゾール用遅延噴射装置」のように、内蔵した崩壊剤によりピストンの移動を制御する遅延噴射機構に対してノズル２を組み合わせても良い。また、その他として、特許２５０２５８７、特開平９−１７５５７２、特開平１０−１５７７８２、特開平１０−１７５６８７、特開平１０−２１６５７７、特開平１０−２７３１８２、特開平１１−２８３９６、特開平１１−４７６４８、特開平１１−１２８７９２、特開平１１−１９２４４５各号の公報に記載の遅延噴射機構に対して適用が可能である。
【００４３】
【発明の効果】
本願第１〜第６の発明にあっては、ノズルの噴射口が、平面視において、放射状に４以上の方向を向くように設けられているため、噴射された内溶液を部屋の隅々まで行き渡らせることができる。
また、第７の発明にあっては、上記の効果に加え、各噴射口の方向を別個に変更可能であるため、部屋の形等に合わせて、最適な条件で内溶液を噴射させることができる。
【図面の簡単な説明】
【図１】本願発明の実施の一例に係るエアゾール噴射装置の説明図であり、（Ａ）は平面視、（Ｂ）は側面視によるものである。
【図２】同噴射装置の断面説明図であって、噴射セット前の状態を示す。
【図３】同噴射装置の断面説明図であって、噴射セット後、一定時間が経過し、エアゾール容器内部の内溶液が噴射している状態を示す。
【図４】本願発明の実施の他の一例に係るエアゾール噴射装置の説明図であり、（Ａ）は平面視、（Ｂ）は側面視によるものである。
【図５】（Ａ）は本願発明に係るエアゾール噴射装置を部屋に置いた状態を示す説明図であり、（Ｂ）は同噴射装置のノズルの方向を変えて部屋に置いた状態を示す説明図であり、（Ｃ）は従来のエアゾール噴射装置を部屋に置いた状態を示す説明図である。
【図６】従来のエアゾール噴射装置の断面説明図である。
【符号の説明】
２        ノズル
２ａ      噴射口
５        作動部、シリンダー部材
１０        エアゾール容器
２０        ケーシング
【図１】
2004223408.tif 000003
【図２】
2004223408.tif 000004
【図３】
2004223408.tif 000005
【図４】
2004223408.tif 000006
【図５】
2004223408.tif 000007
【図６】
2004223408.tif 000008